(57)【要約】  ハンドル（２）に対して回転運動するよう取り付けられた安全カミソリの刃部（１）は、一対の磁石（１０，１１）によって生成される磁性の復元力によって通常の休止位置に向かって力を加えられ、一対の磁石（１０，１１）は、休止位置から刃部の回転位置が離れるにつれて、復元力が増加するように配置されている。
2007511266.tif 000002
【特許請求の範囲】
【請求項１】
ハンドル（２）と、ガード（４）、キャップ（５）及び少なくとも一つの刃を有する刃部（１）とを備えた安全カミソリにおいて、
刃部は髭剃りの間、肌の外形に沿って中心軸（Ａ）の周りを、ハンドルに対して動くようハンドルに取り付けられ、
刃部は通常の休止位置を有し、休止位置から離れて回転した際、刃部には、通常の休止位置に戻る復元力が加えられ、
復元力は、ハンドルに対する刃部の回転運動に対応して互いに相対的に移動する磁石部材（１０，１１）によって生じる磁力からなるとともに、復元力の大きさは、刃部が休止位置から離れて回転すると大きくなることを特徴とする安全カミソリ。
【請求項２】
磁石部材（１０，１１）は、刃部を休止位置に戻す、反発した磁石による復元力を作るよう配置されていることを特徴とする請求項１記載の安全カミソリ。
【請求項３】
刃部は、ガード（４）とその上のキャップ（５）とを有するフレーム（３）を有し、
第一磁石部材（１０）は、キャップに隣接するフレームの下面に取り付けられていることを特徴とする請求項１又は２記載の安全カミソリ。
【請求項４】
中心軸（Ａ）は、少なくとも一つの刃の前に配置されていることを特徴とする請求項１、２又は３のいずれかに記載の安全カミソリ。
【請求項５】
刃部は、ハブ（７）から延在する一対の対向したアーム（８）に回転するよう支持されていることを特徴とする請求項１乃至４のいずれか１項に記載の安全カミソリ。
【請求項６】
請求項１乃至５のいずれか１項に記載の安全カミソリに用いられる安全カミソリ刃部において、
キャップ（５）とガード（４）を有するフレーム（３）と、
キャップとガードとの間のフレームによって支持された一以上の刃と、
一又は各々の刃の前の中心軸を定義するようフレームに設けられた軸構造と、
磁性による復元力を作るために第二磁石部材（１１）と協働するようキャップ下方のフレームに配置された第一磁石部材（１０）と、
を備えたことを特徴とする安全カミソリ刃部。
【請求項７】
フレーム（３）をハンドル（２）に連結するために取付部材（６）が設けられ、
取付部材（６）は、フレームの軸構造と係合する軸頸を含み、
取付部材は、取付部材に設けられ、フレームに配置された第一磁石部材（１０）と協働する第二磁石部材（１１）を有することを特徴とする請求項６記載の安全カミソリ刃部。
【請求項８】
中心軸（Ａ）は、ガード（４）とキャップ（５）の接面下方に配置されていることを特徴とする請求項１乃至７のいずれか記載の安全カミソリ又は安全カミソリ刃部。
【請求項９】
休止位置は、刃部のストップ表面によって定義され、
刃部は、休止位置から一方向のみに回転することができることを特徴とする請求項１乃至８のいずれか１項に記載の安全カミソリ又は安全カミソリ刃部。
【請求項１０】
休止位置からの回転角度が増加するにつれて、磁性の復元力によるバネ速度特性が滑らかに増加することを特徴とする請求項１乃至９のいずれか１項に記載の安全カミソリ又は安全カミソリ刃部。
【請求項１１】
磁性部材のうち少なくとも一つは、電磁石部材を有することを特徴とする請求項１乃至１０のいずれか１項に記載の安全カミソリ又は安全カミソリ刃部。
【請求項１２】
電磁石部材に送られる磁化電流を調整する制御装置が設けられていることを特徴とする請求項１１記載の安全カミソリ又は安全カミソリ刃部。
【請求項１３】
休止位置からの刃部の回転位置を検知するセンサーが配置され、制御装置は、当該センサーからの出力に反応することを特徴とする請求項１２記載の安全カミソリ又は安全カミソリ刃部。
【発明の詳細な説明】
【技術分野】
【０００１】
本発明は、安全カミソリに係り、とりわけ、鋭い刃先を有する少なくとも一つの刃を含む安全カミソリ刃部が、髭剃りの間、刃部に加えられる力によって、ハンドルに対して回転可能なカミソリハンドルに取り付けられている安全カミソリに関している。刃部は、例えば２，３，４又はそれ以上といった複数の刃を有し、直線状の平行な刃先は、刃部にも設けられたガードとキャップの間の表面が肌に接触するよう配置されている。ガードは、髭剃りでストロークを行う際に、刃部が肌を横断して動くとき、肌に好ましい相互作用をもたらすよう、例えば、羽根形状の直立した突起のような表面構造を有する一片のエラストマー材料を含んでいてもよい。キャップ表面は、潤滑剤のような髭剃り強化製品を含む一片の材料を含んでもよく、髭剃り強化製品は、髭剃りの間、肌に適用される一片の材料を徐々に浸出させることができる。安全カミソリの刃部は、刃の鋭さが不十分なレベルまで下がった際に、刃部を新しい刃部に取り替えることができるように、ハンドルに取り外し可能に取り付けられてもよい。他方、刃部は、刃が鈍くなった際には、カミソリ全体を捨てる意図で、ハンドルに永久に連結されていることもできる。取り外し可能で、取り替えることができる刃部は、一般的に、シェービングカートリッジと呼ばれている。
【背景技術】
【０００２】
上述したように、本発明は、髭剃りの間、刃部が支持されたハンドルに対して回転運動することができるよう配置された刃部を有する安全カミソリに関する。回転運動によって刃部は肌の外形に沿って、より容易に動くことができるので、肌に対してハンドルを正確な角度で把持することは、上手くかつ効率よく髭剃りを行うのにそれほど重要でなくなっている。回転刃部を有するカミソリは、数年間継続して販売されている。一般的に刃部の刃先に平行に延在する中心軸は、軸構造によって定義することができ、ハンドルは、当該軸構造によって刃部に連結されている。他方、刃部は、刃や他の肌接触部に結合するフレームやハウジングが、回転自在に連結されている取付部材を含んでもよい。本願に内容が参照として含まれる国際公開公報ＷＯ９７／３７８１９に記載されているこの型の刃部は、ハンドルの上方端部に係合するハブを有するヨークを一般的に形成する取付部材と、フレームの端部に設けられたソケットに端部で係合する軸頸を有する一対の対向する直線アームとを有している。保持クリップが、ソケット内の軸頸を保持するために、各々のフレーム端部の周りに設けられている。
【０００３】
刃先に対する中心軸の様々な位置が提案され、用いられており、ガードとキャップ表面への接面の上方及び下方の位置や、刃先の前、後ろ及びほぼ刃先の位置を含んでいる。一般的に休止位置があり、当該休止位置に向かうよう、回転可能な刃部に、バネ部材や先行技術で提案されている多くの異なる機械的なバネ部材の型によって偏った力が加えられる。刃部は休止位置からどちらかの方向に回転するよう取り付けることができるが、国際公開公報ＷＯ９３／１０９４７に記載されているように、回転軸が、刃の前、より正確には、ガードとキャップ表面の接面下方であって、ガードの近辺に配置され、刃部が休止位置から一方向にだけ回転するよう配置されていることが好ましいことが知られている。出願人によって、現在販売されているMach 3カミソリにおいては、刃部はこのように回転するよう取り付けられている。上述のように、ハンドルに連結するための取付部材が含まれており、ハンドルから突出するとともに、取付部材のハブを介して、フレームの下面を、刃部が休止位置に偏るよう支持しているバネによって負荷が加えられるプランジャーがある。小さなコイルバネはプランジャーを外方に向ける。機械的なバネ部材などでは避けることができない摩擦効果を制御することは難しく、この結果、滑らかで一定した回転性能を保証することは難しい。
【発明の開示】
【発明が解決しようとする課題】
【０００４】
本発明は、磁石によって生成される復元力を用いることによって、この欠点を解決する。磁石が安全カミソリに設けられている先行技術の提案には、
ＵＳ２８８５７７８に記載された提案が含まれており、このＵＳ２８８５７７８においては、例えば、ひげそり用石けんや破片をゆすぎ落とすために、カミソリヘッドを開けたとき、取り外し可能な刃を保持するために磁石が用いられ、
ＵＳ３７４０８４１においては、過剰な力が刃に加えられ、バネや一対の磁石に偏った力が働くとき、固定されたガードに対する通常のひげそり位置から、偏った力に逆らって引っ込むことができるよう、刃が軸支持部に取り付けられており、
ＵＳ５５２６５６８においては、刃部は、刃部の長さ方向に垂直な軸の周りに回転可能になっており、刃部の位置を調整するためにハンドルに含まれる機構は、調整された位置の刃部を維持するために磁石を含むことができ、
ＵＳ６０３５５３５においては、カミソリハンドルに柔軟なシェービングカートリッジを取り付けるために磁石が用いられ、
ＦＲ２６６０５８９においては、カミソリヘッドをハンドルに連結する軸構造が、調整される軸位置でカミソリヘッドを保持するために磁石と協働し、
ＲＵ２０９３３４９においては、刃部の下面を引きつけるようハンドルに配置された永久磁石によって、回転刃部が初期作動位置に引きつけられ、その配置は、刃部が初期位置から回転して離れるにつれて、引きつける力が減るようになっている。
【課題を解決するための手段】
【０００５】
（発明の要約）
本発明によると、ハンドルと、ガード、キャップ及び少なくとも一つの刃を有する刃部とを備えた安全カミソリにおいて、刃部は髭剃りの間、肌の外形に沿って中心軸の周りを、ハンドルに対して動くようハンドルに取り付けられ、刃部は通常の休止位置を有し、休止位置から離れて回転した際、刃部には、通常の休止位置に戻る復元力が加えられ、復元力の大きさは、刃部が休止位置から離れて回転すると大きくなる安全カミソリが提供される。
【０００６】
磁性によって生成される復元力を用いることによって、とても滑らかで一定に再生成できる回転運動を確実にすることができる。磁力は、便利にも、ハンドルに対する刃部の回転運動によって互いに相対的に移動し、反発するよう相互作用して刃部を休止位置にもってくる磁石部材によって生成することができる。現在の好ましい実施の形態においては、磁力は、一対の対向する磁石部材によって生成されるが、例えば、二セットの対向する対のように、２つ以上の磁石部材を用いることができる。
【０００７】
刃部は、ハブから延在する一対の対向したアームに回転するよう支持され、磁石部材の第二のものは刃部に配置されている。
【０００８】
本発明は、上述のような安全カミソリに用いられる安全カミソリ刃部にもあり、刃部は、キャップとガードを有するフレームと、キャップとガードとの間のフレームによって支持された一以上の刃と、一又は各々の刃の前の中心軸を定義するようフレームに設けられた軸構造と、磁性による復元力を作るために第二磁石部材と協働するようキャップ下方のフレームに配置された第一磁石部材と、を備えている。
【０００９】
好ましい実施の形態においては、取付部材が、フレームをハンドルに連結するために設けられるとともに、フレームの軸構造と係合する軸頸を含み、取付部材は、フレームに配置された第二磁石部材を有している。
【００１０】
好ましい実施の形態においては、中心軸が、ガードとキャップの接面下方に配置されている。休止位置は、また、刃部のストップ表面によって定義され、刃部は、休止位置から一方向のみに回転することができる。
【００１１】
好ましくも、磁性の復元力を生成する磁石部材は、休止位置からの回転角度が増加するにつれて、磁性の復元力によるバネ速度特性が増加するように配置されている。また、異なる磁力の磁性部材を用いることによって、復元力の強さが容易に修正できることが、本発明のさらなる利点である。
【００１２】
磁性部材は永久磁石であることが便利であるが、磁性部材のうち少なくとも一つは、電磁石部材を有することができ、この場合、電磁石部材に送られる磁化電流を調整する制御装置を設けることができる。例えば、休止位置からの刃部の回転位置を検知するセンサーが配置され、制御装置は、当該センサーからの出力に反応することができる。
【００１３】
本発明を明確に理解することを助けるために、添付された図面を参照として、以下詳細に、いくつかの実施の形態が記載されている。
【発明を実施するための最良の形態】
【００１４】
図１及び図２に示す安全カミソリは、ハンドル２に取り付けられている刃部１を有している。刃部１は、本技術分野で良く知られているように、ガード４とキャップ５を有するフレーム３と、ガードとキャップの間に配置され、互いに平行になった刃先を有する複数の刃（図示せず）を含んでいる。刃は互いに独立して動くことができ、髭剃りを行っている間、肌に対する刃の力を決めるバネ９によって、ガードとキャップの表面の接する面に対して、上方に傾く。ガードは、羽根のような突起を有する一片のエラストマー材料を含むことが好ましく、キャップは、以前から知られているように、肌に髭剃り強化製品を適用するための一片を有してもよい。
【００１５】
刃部は、ハンドル２の上方端部に取り外し可能に止められるハブ７と、ハブ７から延び、端部に、フレーム３の端部に設けられたソケットに挿入される軸頸を有する一対の対向するヨークアーム８を含み、軸頸はフレームの端部の周りに設けられた金属クリップによって、ソケット内に保持されている。軸頸及びソケットは、刃部１がハンドル２に対して回転することができる中心軸Ａを定義づける。中心軸Ａは、他の軸位置も可能ではあるが、刃の前であって、ガードとキャップ表面に接する面の下方であることが好ましい。ソケットは、最終回転位置にフレーム３があるときに、アーム８が隣接するストップ表面を含み、当該採取回転位置は、図に示されるように、刃部の通常休止位置に相当している。この休止位置から離れる刃部の回転運動は、小さな永久磁石１０，１１が形成する一対の対向する磁石部材によって生成される復元力により反発される。第一磁石１０はキャップ５に隣接するフレーム３の側方に固定され、第二磁石１１はハブ７に固定され、このため、ハンドル２に対して静止状態で保持されている。磁石１０，１１は互いに対向する極のように配置され、矢印１２で示されるように、刃部が休止位置から離れて回転し、互いに近づく際、刃部を休止位置に戻すよう作用するとともに、増加する反発力が磁石間で形成される。
【００１６】
図３に示される安全カミソリは、磁石の位置においてだけ、図１及び図２の安全カミソリと異なっている。この場合、第一磁石１０はガード４に隣接するフレーム３に固定されており、第二磁石１１は第一磁石１０に対向する、その前面のハブ７に固定されている。さらに、磁石１０，１１は、休止位置から離れて回転した際に、休止位置に刃部を戻すよう、引きつけ合う磁力を形成する互いに向かい合う反対の極を有している。
【００１７】
本発明を具体化し、図１及び図２を参照として上述された構成であって、異なる力の磁石を有する二つのカミソリと、先行技術の安全カミソリ、すなわち、磁石の代わりに、刃部のフレームを支持し、復元力を供給するよう配置された機械的なコイルバネによって負荷が加えられるプランジャーを有している以外は、図１及び図２の実施の形態と略同一の構成となっているGillette Mach 3とについて、回転角度に対してプロットされ、刃部のキャップで測定された復元力を示すグラフが図４に示されている。本発明を具体化する二つのカミソリの各々に対して、復元力特性はスムーズに最大値まで増加し、復元力特性の有効なバネ速度は、回転角度が増加するにつれて徐々に増加する。さらに、休止位置に回転運動して戻っている間、特性カーブは、反対方向の回転運動に関してきっちりと従い、刃部が、まるで、髭剃りでストロークを行う回転方向の反対に行くよう、復元力は与えられる回転位置に対して常に一定となり、滑らかな回転運動が達成される。これに対して、先行技術のMach 3に対する特徴的な復元力カーブは、かなり平らで、一貫性のない形状となっており、復元力は刃部が回転している方向に概ね従って、異なっている。先行技術のカミソリに対して示されたカーブは、１０個のカミソリのサンプルについての測定に基づいていることに注意すべきである。弱い磁石を用いる本発明の実施の形態は、図１に示すように、回転運動の範囲を通して先行技術のMach 3のカミソリと概ね同じ大きさの復元力を作り出すが、既に説明したように、かなりスムーズで一貫性をもって操作される。しかしながら、強い磁石を用いた実施の形態は、図２に示したように、回転範囲の最初の部分で、先行技術の構成によって作られる復元力と同じ大きさを有するが、回転範囲の次の部分、特に休止位置から２０°から４０°のずれた位置で、復元力が急速に上昇し、かなり強い復元力を与える。この効果は、かなり強い力で肌にカミソリを押し当てる傾向にあるカミソリ使用者にとっては、好ましい。
【００１８】
記載された実施の形態の変形は、本発明の原理から離れない限りもちろん可能である。このため、特に記載された実施の形態は限定しない実施の形態のみによって示されていることが理解でき、請求項のみによって限定されるべきであるという意図がある。上述した実施の形態において、永久磁石が用いられているが、磁石による復元力を作り出すために電磁石部材を用いることもでき、この別の実施の形態は、カミソリが、機構を作り出す振動を駆動するモータのような電気装置に電流を供給するバッテリーのような電源を含んでいる場合には便利である。さらに、制御装置によって、刃部の回転位置が増加するにつれて磁石の復元力を適切に増加させるために、例えば、休止位置からの刃部の回転運動を検知するセンサーからの出力信号に反応して、電磁石部材に送られる電流を調整することができる。
【図面の簡単な説明】
【００１９】
【図１】本発明による安全カミソリの第１の実施の形態を示す側方図。
【図２】図１に示された安全カミソリの後方斜視図。
【図３】第２の実施の形態を示す側面図。
【図４】本発明と従来技術のカミソリによる二つの安全カミソリについて、軸角度に対してプロットされた、キャップで測定される復元力を示したグラフ図。
【図１】
2007511266.tif 000003
【図２】
2007511266.tif 000004
【図３】
2007511266.tif 000005
【図４】
2007511266.tif 000006
【国際調査報告】
2007511266.tif 000007
2007511266.tif 000008
2007511266.tif 000009
2007511266.tif 000010